(57)【要約】【課題】所定のアプリケーションの実行画像を容易に表示することができる技術を提供する。【解決手段】１以上のアプリケーションの実行画像を含む表示画像を表示する出力部と、利用者による所定の操作に応答して、前記表示画像に含まれる前記アプリケーションの実行画像を切り替える制御部と、を備え、前記制御部は、前記１以上のアプリケーションのうちの１つである第１アプリケーションにおいて所定の処理が行われている場合と、前記所定の処理が行われていない場合とで、前記表示画像に含まれる前記アプリケーションの実行画像の切り替え手法を変更する、情報処理装置とする。【選択図】図２
2017117390.tif 000002
【特許請求の範囲】
【請求項１】
１以上のアプリケーションの実行画像を含む表示画像を表示する出力部と、
利用者による所定の操作に応答して、前記表示画像に含まれる前記アプリケーションの実行画像を切り替える制御部と、を備え、
前記制御部は、
前記１以上のアプリケーションのうちの１つである第１アプリケーションにおいて所定の処理が行われている場合と、前記所定の処理が行われていない場合とで、前記表示画像に含まれる前記アプリケーションの実行画像の切り替え手法を変更する、
情報処理装置。
【請求項２】
前記制御部は、
前記第１アプリケーションにおいて前記所定の処理が行われている場合、前記表示画像のうち前記第１アプリケーションの実行画像を含む第１領域を固定しつつ、前記第１領域以外の第２領域において前記実行画像を切り替え、
前記第１アプリケーションにおいて前記所定の処理が行われていない場合、前記表示画像の全体の領域において前記実行画像を切り替える、
請求項１に記載の情報処理装置。
【請求項３】
前記第１アプリケーションを含む複数のアプリケーションの実行画像が、所定の配列順序で仮想的に配列された複数のページに分散して配置され、
前記制御部は、
前記表示画像に含まれる前記アプリケーションの実行画像を切り替える場合、前記配列順序で前記複数のページを連続的に変更するものであり、
前記第１アプリケーションにおいて前記所定の処理が行われている場合には、前記１アプリケーションの実行画像を含む特定ページに変更されたときに、前記複数のページを連続的に変更する動作を停止し、
前記第１アプリケーションにおいて前記所定の処理が行われていない場合には、前記特定ページとは無関係に前記複数のページを連続的に変更する、
請求項１に記載の情報処理装置。
【請求項４】
前記第１アプリケーションは、目的地への道案内を利用者に対して実行するナビゲーションアプリであり、前記所定の処理は、前記ナビゲーションアプリによる目的地への道案内処理である、
請求項１から３のいずれか１項に記載の情報処理装置。
【請求項５】
車両に搭載される、請求項４に記載された情報処理装置を含む、車載装置。
【請求項６】
コンピュータが、
１以上のアプリケーションの実行画像を含む表示画像を表示し、
利用者による所定の操作に応答して、前記表示画像に含まれる前記アプリケーションの実行画像を切り替え、
前記１以上のアプリケーションのうちの１つである第１アプリケーションにおいて所定の処理が行われている場合と、前記所定の処理が行われていない場合とで、前記表示画像に含まれる前記アプリケーションの実行画像の切り替え手法を変更する、
ことを実行する情報処理方法。
【請求項７】
コンピュータが、
１以上のアプリケーションの実行画像を含む表示画像を表示し、
利用者による所定の操作に応答して、前記表示画像に含まれる前記アプリケーションの
実行画像を切り替え、
前記１以上のアプリケーションのうちの１つである第１アプリケーションにおいて所定の処理が行われている場合と、前記所定の処理が行われていない場合とで、前記表示画像に含まれる前記アプリケーションの実行画像の切り替え手法を変更する、
ことを実行するための情報処理プログラム。
【発明の詳細な説明】
【技術分野】
【０００１】
本発明は、情報処理装置、車載装置、情報処理方法、及び、情報処理プログラムに関する。
【背景技術】
【０００２】
従来より、オーディオ装置の操作画面、空調装置の操作画面、ナビゲーション装置の目的地への道案内等を表示するために、タッチパネル等を備えたディスプレイを内蔵する情報処理装置を車両内に設置することがある。このような情報処理装置の利用者となる車両の運転者は、ディスプレイ（車載ディスプレイ）に表示された画像を参照して、車内の装置の操作をしたり、現在位置を把握したりする。一般に、情報処理装置では、携帯端末やタブレット端末等で汎用されるＯＳ（Operating System）が搭載され、オーディオ装置の操作画面等以外にも、他の様々なアプリケーションが実行され得る。
【先行技術文献】
【特許文献】
【０００３】
【特許文献１】特表２０１４−５１１５２４号公報
【特許文献２】特開２０００−１９４３５２号公報
【特許文献３】特開２０１４−２３２３７９号公報
【発明の概要】
【発明が解決しようとする課題】
【０００４】
汎用のＯＳの１つであるアンドロイドＯＳのＷｉｄｇｅｔ特性を活用したディスプレイのＨＭＩ（Human Machine Interface）仕様では、１つのページの背景画像（プレーン背
景）の上にＷｉｄｇｅｔアプリケーションの実行画像を表示させることが主である。表示されるＷｉｄｇｅｔアプリケーションの実行画像は、アプリケーションで生成される情報を表示する出力画像、アプリケーションに対して情報を入力する仮想ボタンなどの入力画像のうち少なくとも１つを含む画像である。オーディオ装置の操作画面、空調装置の操作画面、ナビゲーション装置の目的地への道案内の画面等は、それぞれ、アプリケーションの実行画像の例である。１つのプレーン（１つの表示画像）上に表示できるアプリケーションの実行画像の数には上限がある。
【０００５】
多くのアプリケーションの実行画像が存在して１つの表示画像として表示できない場合、目的のアプリケーションの実行画像をディスプレイに表示させるために、実行画像の切り替えを行うことがある。実行画像の切り替えは、例えば、タッチパネルに対する横方向へのフリック操作などの利用者による所定の操作によって行われる。実行されるアプリケーションの中には、特定の処理を行っている場合には、ディスプレイにその実行画像を優先的に表示させることが好ましいアプリケーションがある。例えば、ナビゲーションアプリケーションが目的地への道案内処理を行っている場合には、そのナビゲーションアプリケーションの実行画像は、優先的に表示できることが望ましい。しかし、多くのアプリケーションの実行画像が存在する場合、表示する優先度の高いアプリケーションの実行画像を容易に表示させることは難しい。
情報処理装置が車両に搭載される車載装置の場合は、利用者は車両の運転者となる。また、表示する優先度の高いアプリケーションの実行画像を表示させるまでの手順が多くなると、車両の運転者が車載装置に対して多くの操作を行うことになり、運転に関する注意力が低下する可能性がある。
【０００６】
本発明は、所定の処理を行っている所定のアプリケーションの実行画像を優先的に表示
することができる技術を提供することを目的とする。
【課題を解決するための手段】
【０００７】
上記課題を解決するために、以下の手段を採用する。
即ち、第１の態様は、１以上のアプリケーションの実行画像を含む表示画像を表示する出力部と、利用者による所定の操作に応答して、前記表示画像に含まれる前記アプリケーションの実行画像を切り替える制御部と、を備え、前記制御部は、前記１以上のアプリケーションのうちの１つである第１アプリケーションにおいて所定の処理が行われている場合と、前記所定の処理が行われていない場合とで、前記表示画像に含まれる前記アプリケーションの実行画像の切り替え手法を変更する、
情報処理装置とする。
【０００８】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【発明の効果】
【０００９】
本発明によれば、所定のアプリケーションの実行画像を優先的に表示することができる。
【図面の簡単な説明】
【００１０】
【図１】図１は、実施形態に係るシステム構成の例を示す図である。
【図２】図２は、車両に搭載される情報処理装置の構成例を示す図である。
【図３】図３は、車両に搭載される装置の構成例を示す図である。
【図４】図４は、コンピュータのハードウェア構成例を示す図である。
【図５】図５は、アプリケーションの実行画像を含む画像の例１−１を示す図である。
【図６】図６は、アプリケーションの実行画像を含む画像の例１−２を示す図である。
【図７】図７は、動作例１の情報処理装置における実行画像の切替の動作フローを示す図である。
【図８】図８は、切り替え途中の画像（遷移画像）の例を示す図である。
【図９】図９は、Ｓ１０４における切り替え後の表示画像の例を示す図である。
【図１０】図１０は、Ｓ１０６における切り替え途中の画像（遷移画像）の例を示す図である。
【図１１】図１１は、アプリケーションの実行画像を含む画像の例２−１を示す図である。
【図１２】図１２は、動作例２の情報処理装置におけるページ切替の動作フローを示す図である。
【図１３】図１３は、切り替え途中の画像（遷移画像）の例を示す図である。
【発明を実施するための形態】
【００１１】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１２】
〔実施形態〕
本実施形態の車両に搭載される情報処理装置では、複数のアプリケーションが実行される。情報処理装置のディスプレイには、実行される複数のアプリケーションの実行画像のうちの一部の実行画像が表示画像として表示される。ディスプレイに表示されるアプリケーションの実行画像は、所定の背景画像の上に重ねられて表示される。情報処理装置の利用者は、所定の操作により、ディスプレイに表示されるアプリケーションの実行画像を切り替えることができる。情報処理装置の利用者は、例えば、当該情報処理装置が搭載される車両の運転者である。
【００１３】
（構成例）
〈システム構成〉
図１は、本実施形態に係るシステム構成の例を示す図である。図１システムは、情報処理装置を搭載した車両１と、ネットワーク２を含む。車両１に搭載される情報処理装置は、ネットワーク２を介して、ネットワーク２に接続される他の情報処理装置（不図示）等に接続される。
【００１４】
ネットワーク２として、例えば、携帯電話回線網を利用したインターネット回線が挙げられる。車両１に搭載される情報処理装置は、例えば、車両１の運転者によって操作される。ネットワーク２は、インターネット接続業者の通信装置へのアクセス網とインターネットを含むネットワークであってもよい。インターネット接続業者の通信装置へのアクセス網は、例えば、通信事業者が提供する光ネットワーク、ＡＤＳＬ（Asymmetric Digital
Subscriber Line）等である。ネットワーク２は、公衆無線ネットワークの一例である。
【００１５】
図２は、車両に搭載される情報処理装置の構成例を示す図である。図２の情報処理装置１０は、制御部１１、記憶部１２、入力部１３、出力部１４、通信部１５を含む。情報処理装置１０は、車両１を運転する運転者等によって操作される。
【００１６】
制御部１１は、記憶部１２等に実行可能に展開されたコンピュータプログラムにより、情報処理装置１０としての処理を実行する。情報処理装置１０としての処理とは、例えば、車両１における様々な情報処理を含む。制御部１１は、利用者の指示等に基づいて、情報処理装置１０に接続されるオーディオ装置等の制御を行う。制御部１１は、出力部１３のディスプレイに、アプリケーションの実行画像を含む表示画像を表示させる。
【００１７】
記憶部１２は、制御部１１で実行されるコンピュータプログラム、あるいは、制御部１１が使用するデータ、テーブル等を格納する。データには、ディスプレイに表示される背景画像等が含まれる。
【００１８】
入力部１３は、例えば、タッチパネル、押しボタン、キーボード、ポインティングデバイス、マイク、カメラ等であり、利用者による操作を受け付ける。
【００１９】
出力部１４は、例えば、画像や文字情報を出力するディスプレイ等である。ディスプレイは、入力部１３のタッチパネルと一体化している。
【００２０】
通信部１５は、ネットワーク２を介して、ネットワーク２上の他の装置と通信する。ネットワーク２が携帯電話回線網の場合には、通信部１５は、携帯電話回線網の基地局を介してネットワーク２に接続する。また、通信部１５は、車両１内のオーディオ装置、空調装置、ナビゲーション装置等と接続する。
【００２１】
図３は、車両に搭載される装置の構成例を示す図である。図３の車両１には、情報処理装置１０、オーディオ装置２０、空調装置３０、ナビゲーション装置４０が搭載される。
情報処理装置１０には、オーディオ装置２０、空調装置３０、ナビゲーション装置４０が接続される。車両１には、他の装置が搭載されてもよい。オーディオ装置２０、空調装置３０、ナビゲーション装置４０は、情報処理装置１０によって制御され得る。情報処理装置１０、オーディオ装置２０、空調装置３０、ナビゲーション装置４０は、一体化して、１つの車載装置として、構成されてもよい。
【００２２】
オーディオ装置２０は、スピーカ等の出力手段を含み、各種記憶媒体に記憶される音響、音声を再生し、出力手段に出力する。オーディオ装置２０には、放送受信手段、ディスク再生手段等が含まれてもよい。放送受信手段は、アンテナにより受信された放送波から、特定の周波数の放送波を選択受信し、復調して当該放送の音声信号等を出力する。記録媒体再生手段は、記録媒体に記憶されているデータをピックアップして読込み、読込んだデータに基づく音声信号の出力を行う。記録媒体には、例えば、ＣＤ、ＤＶＤ、ＳＤカード等が含まれる。
【００２３】
空調装置３０は、空調機器、温度測定手段等を含み、車両１内外の気温等に基づいて、車両１内の気温や湿度を調整する。
【００２４】
ナビゲーション装置４０は、ＧＰＳ（Global Positioning System）受信機を含み、Ｇ
ＰＳ衛星からの電波を受信し、現在位置（緯度、経度等）、時刻等を算出する。ただし、ナビゲーション装置としては、ＧＰＳ受信機を含むものに限定される訳ではない。ナビゲーション装置４０は、地図情報を記憶する。
【００２５】
情報処理装置１０、ナビゲーション装置４０は、ＰＣ（Personal Computer）、スマー
トフォン、携帯電話、タブレット型端末、車載装置、ＰＤＡ（Personal Digital Assistant）のような専用または汎用のコンピュータ、あるいは、コンピュータを搭載した電子機器を使用して実現可能である。
【００２６】
図４は、コンピュータのハードウェア構成例を示す図である。図４に示すコンピュータ９０は、一般的なコンピュータの構成を有している。図４のコンピュータ９０は、プロセッサ９１、メモリ９２、記憶部９３、入力部９４、出力部９５、通信制御部９６を有する。これらは、互いにバスによって接続される。メモリ９２及び記憶部９３は、コンピュータ読み取り可能な記録媒体である。コンピュータのハードウェア構成は、図４に示される例に限らず、適宜構成要素の省略、置換、追加が行われてもよい。
【００２７】
コンピュータ９０は、プロセッサ９１が記録媒体に記憶されたプログラムをメモリ９２の作業領域にロードして実行し、プログラムの実行を通じて各構成部等が制御されることによって、所定の目的に合致した機能を実現することができる。
【００２８】
プロセッサ９１は、例えば、ＣＰＵ（Central Processing Unit）やＤＳＰ（Digital Signal Processor）である。プロセッサ９１は、コンピュータ９０を制御し、様々な情報
処理の演算を行う。
【００２９】
メモリ９２は、例えば、ＲＡＭ（Random Access Memory）やＲＯＭ（Read Only Memory）を含む。メモリ９２は、主記憶装置とも呼ばれる。
【００３０】
記憶部９３は、例えば、ＥＰＲＯＭ（Erasable Programmable ROM）、ハードディスク
ドライブ（ＨＤＤ、Hard Disk Drive）である。また、記憶部９３は、リムーバブルメデ
ィア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。記憶部９３は、二次記憶装置とも呼
ばれる。
【００３１】
記憶部９３は、各種のプログラム、各種のデータ及び各種のテーブルを読み書き自在に記録媒体に格納する。記憶部９３には、オペレーティングシステム（Operating System :ＯＳ）、各種プログラム、各種テーブル等が格納される。記憶部９３に格納される情報は、メモリ９２に格納されてもよい。また、メモリ９２に格納される情報は、記憶部９３に格納されてもよい。
【００３２】
オペレーティングシステムは、ソフトウェアとハードウェアとの仲介、メモリ空間の管理、ファイル管理、プロセスやタスクの管理等を行うソフトウェアである。オペレーティングシステムは、通信インタフェースを含む。通信インタフェースは、通信制御部１０１２を介して接続される他の外部装置等とデータのやり取りを行うプログラムである。外部装置等には、例えば、他の情報処理装置、外部記憶装置等が含まれる。
【００３３】
入力部９４は、キーボード、ポインティングデバイス、ワイヤレスリモコン、タッチパネル、押しボタン等を含む。また、入力部９４は、カメラのような映像や画像の入力装置や、マイクロフォンのような音声の入力装置を含むことができる。
【００３４】
出力部９５は、ＬＣＤ（Liquid Crystal Display）、ＥＬ（Electroluminescence）パ
ネル、ＣＲＴ（Cathode Ray Tube）ディスプレイ、ＰＤＰ（Plasma Display Panel）等の表示装置、プリンタ等の出力装置を含む。また、出力部９５は、スピーカのような音声の出力装置を含むことができる。
【００３５】
通信制御部９６は、他の装置と接続し、コンピュータ９０と他の装置との間の通信を制御する。通信制御部９６は、例えば、ＬＡＮ（Local Area Network）インタフェースボード、無線通信のための無線通信回路、電話通信のための通信回路である。ＬＡＮインタフェースボードや無線通信回路は、インターネット等のネットワークに接続される。
【００３６】
コンピュータ９０で実行される一連の処理は、ハードウェアにより実行させることもできるが、ソフトウェアにより実行させることもできる。
【００３７】
プログラムを記述するステップは、記載された順序に沿って時系列的に行われる処理はもちろん、必ずしも時系列的に処理されなくても、並列的または個別に実行される処理を含む。プログラムを記述するステップの一部が省略されてもよい。
【００３８】
（動作例１）
本実施形態の情報処理装置１０の動作例１について、説明する。情報処理装置１０は、車両１に設置され、車両１のオーディオ装置２０、空調装置３０、ナビゲーション装置４０等と接続される。情報処理装置１０は、ネットワーク２上の他の情報処理装置等とも接続され得る。情報処理装置１０では、複数のアプリケーションが実行され、情報処理装置１０の出力部１４のディスプレイには、アプリケーションの実行画像を含む表示画像が表示されている。アプリケーションの実行画像は、アプリケーションで生成される情報を表示する出力画像、アプリケーションに対して情報を入力する仮想ボタンなどの入力画像の少なくとも１つを含む画像である。情報処理装置１０において、汎用のＯＳが実行され、当該ＯＳ上で、複数のアプリケーションが実行されていてもよい。情報処理装置１０で実行されるアプリケーションは、アンドロイドＯＳのＷｉｄｇｅｔアプリケーションであってもよい。ここでは、所定のアプリケーションが所定の処理を行っている場合に、当該アプリケーションの実行画像をディスプレイに固定して表示させる動作例について説明する。
【００３９】
図５は、アプリケーションの実行画像が配置される画像の例１−１を示す図である。図５の例では、画像１０１は、背景画像１１１、４個のアプリケーションの実行画像１２１−１〜４を含む。背景画像１１１は、図形や写真等の画像であっても、ベタ塗りの一色であってもよい。４個のアプリケーションの実行画像１２１−１〜４は、背景画像１１１の上に、重ねられて描画されている。
【００４０】
図６は、アプリケーションの実行画像が配置される複数の画像の例１−２を示す図である。図６の例では、仮想的に配列された３つの画像１０１−１０３が示されている。これら３つの画像１０１−１０３には、１１個のアプリケーションの実行画像が含まれている。
【００４１】
図６の画像１０１は、図５で示した画像１０１と同様である。画像１０２は、背景画像１１２、３個のアプリケーションの実行画像１２２−１〜３を含む。画像１０２のように、実行画像の大きさは、アプリケーション毎に異なってもよい。ここでは、実行画像１２２−１の大きさは、実行画像１２２−２や１２１−３の大きさのほぼ２倍の大きさである。実行画像１２２−１の面積は、画像１０２のほぼ半分の面積を占める。ここでは、画像１０２内の左側に実行画像１２２−１が配置され、画像１０２内の右側に実行画像１２２−２、３が配置される。画像１０３は、背景画像１１３、４個のアプリケーションの実行画像１２３−１〜４を含む。実行画像１２２−１のアプリケーションは、後に説明する所定のアプリケーションである。この説明では、図５及び図６に示すように実行画像が配置される画像を「ページ」ともいう。図６に示すように、複数のページが存在する場合は、それら複数のページは所定の配列順序で仮想的に配列される。
【００４２】
情報処理装置１０の制御部１１は、情報処理装置１０で実行されているアプリケーションについての実行画像を含む表示画像を生成し、出力部１４のディスプレイに表示させる。一つのページは、所定サイズのアプリケーションの実行画像を、例えば４個まで含むことができる。複数のアプリケーションが実行され、それらの実行画像が１つのページに配置できない場合、複数のアプリケーションの実行画像は複数のページに分散して配置される。
【００４３】
情報処理装置１０の制御部１１は、通常、実行画像が配置されたページのうちの１つを表示画像として生成して、出力部１４のディスプレイに表示させる。ただし、制御部１１は、互いに隣接する２つのページに配置された実行画像を、１つの表示画像として表示させることも可能である。
【００４４】
出力部１４のディスプレイに表示される表示画像に含まれる実行画像は、例えば、情報処理装置１０の利用者によって、入力部１３により受け付けた利用者による入力操作に応答して切り替えられる。
【００４５】
以下の説明では、画像１０１を第１ページ、画像１０２を第２ページ、画像１０３を第３ページともいう。背景画像１１１、１１２、１１３は、同一であっても、互いに、異なっていてもよい。情報処理装置１０の制御部１１は、各アプリケーションの動作にともなって、アプリケーションの実行画像を随時更新する。各ページにおいて、アプリケーションの実行画像が表示される位置は、情報処理装置１０の利用者によって自由に変更できることが望ましい。図６の例では、画像１０１〜１０３の３ページのみを示しているが、３ページに限定されるものではない。
【００４６】
情報処理装置１０の起動時には、前回の終了時に実行されていたアプリケーションの動作状態が維持されるとする。即ち、１つのアプリケーションの実行画像の配置される位置は、利用者が変更しない限り、常に、同一ページの同一位置に配置される。
【００４７】
図７は、動作例１の情報処理装置における実行画像の切替の動作フローを示す図である。この説明では、情報処理装置１０において、複数のアプリケーションが実行され、画像１０１、１０２などのようなＮページ分のページに複数のアプリケーションの実行画像が配置されているとする。Ｎページ分のページは、所定の配列順序で配列されている。また、この処理の開始時点においては、出力部１４のディスプレイには、第Ｎページののうちのいずれか１つのページが表示されているとする。ディスプレイに表示されているページには、所定のアプリケーションの実行画像（例えば、実行画像１２２−１）が表示されているとする。所定のアプリケーションは、例えば、所定の処理を行っている場合に、その実行画像をディスプレイに優先的に表示させることが好ましいアプリケーションである。所定のアプリケーションは、例えば、ディスプレイに表示する優先度の高いアプリケーションである。具体的には、例えば、所定のアプリケーションが「ナビゲーションアプリ」であり、所定の処理が「目的地への道案内」である。また、例えば、所定のアプリケーションが「動画再生アプリ」であり、所定の処理が「動画再生」である。ここで、情報処理装置１０の利用者は、所定のアプリケーション以外の他のアプリケーションの実行画像を表示させるために、実行画像の切り替えを行う。
【００４８】
Ｓ１０１では、情報処理装置１０の制御部１１は、入力部１３により、実行画像を切り替えるための所定の入力操作を検出したか否かを判定する。実行画像を切り替えるための所定の入力操作は、例えば、入力部１３のタッチパネルに対する横方向へのフリック操作である。フリック操作は、タッチパネル上で、指等を右から左、若しくは、左から右に動かす操作である。所定の入力操作を検出した場合（Ｓ１０１；ＹＥＳ）、処理がＳ１０２に進む。所定の入力操作を検出していない場合（Ｓ１０１；ＮＯ）、処理がＳ１０１に戻る。
【００４９】
Ｓ１０２では、情報処理装置１０の制御部１１は、動作中の所定のアプリケーションが所定の処理を行っているか否かを判定する。所定のアプリケーション及び所定の処理は、あらかじめ、決められている。動作中の所定のアプリケーションが所定の処理を行っている場合（Ｓ１０２；ＹＥＳ）、処理がＳ１０３に進む。動作中の所定のアプリケーションが所定の処理を行っていない場合（Ｓ１０２；ＮＯ）、処理がＳ１０５に進む。
【００５０】
所定のアプリケーションが所定の処理を行っている場合は、Ｓ１０３において、情報処理装置１０の制御部１１は、切り替え後にディスプレイに表示すべき表示画像の固定領域及び非固定領域のデータを、記憶部１２から抽出する。ここでは、ディスプレイに表示される表示画像において、所定のアプリケーションの実行画像を含む領域が固定領域となり、当該固定領域以外の領域が非固定領域となる。実行画像の切り替えにおいて、非固定領域に表示される実行画像が切り替えの対象となる。ここでは、切り替え後の表示画像の非固定領域に含まれる実行画像のみのデータが抽出されてもよい。
【００５１】
例えば、情報処理装置１０の出力部１４のディスプレイに表示される表示画像が第２ページ（図６の画像１０２）であり、所定のアプリケーションの実行画像が実行画像１２２−１である場合を想定する。この場合は、表示画像のうち、所定のアプリケーションの実行画像１２２−１を含む左側半分の領域が固定領域となり、右側半分の領域が非固定領域となる。ここで、入力操作が左から右へのフリック操作である場合は、切り替え後の表示画像は、第２ページの左側半分の領域の実行画像を固定的に含みつつ、第１ページ（図６の画像１０１）の右側半分の領域の実行画像を含むことになる。また、入力操作が右から左へのフリック操作である場合は、切り替え後の表示画像は、第２ページの左側半分の領域の実行画像を固定的に含みつつ、第３ページ（図６の画像１０３）の左側半分の領域の実行画像を含むことになる。
【００５２】
より一般的に説明すれば、表示画像の非固定領域に第ｎページの右側半分の領域の実行画像が表示されているとき、入力操作が左から右へのフリック操作である場合、切り替え後の表示画像の非固定領域は第ｎページの左側半分の領域の実行画像を含む。但し、第ｎページの左側半分の領域が所定のアプリケーションの実行画像を含む領域（固定領域）である場合、切り替え後の表示画像の非固定領域は第ｎ−１ページの右側半分の領域の実行画像を含む。
【００５３】
また、表示画像の非固定領域に第ｎページの左側半分の領域の実行画像が表示されているとき、入力操作が左から右へのフリック操作である場合、切り替え後の表示画像は第ｎ−１ページの右側半分の領域の実行画像を含む。但し、第ｎ−１ページの右側半分の領域が所定のアプリケーションの実行画像を含む領域（固定領域）である場合、切り替え後の表示画像の非固定領域は第ｎ−１ページの左側半分の領域の実行画像を含む。ｎ−１が０となる場合には、実行画像を切り替えない。即ち、このとき、切り替え前の実行画像のデータが抽出される。
【００５４】
また、表示画像の非固定領域に第ｎページの右側半分の領域の実行画像が表示されているとき、入力操作が右から左へのフリック操作である場合、切り替え後の表示画像の非固定領域は第ｎ＋１ページの左側半分の領域の実行画像を含む。但し、第ｎ＋１ページの左側半分の領域が所定のアプリケーションの実行画像を含む領域（固定領域）である場合、切り替え後の表示画像の非固定領域は第ｎ＋１ページの右側半分の領域の実行画像を含む。また、表示画像の非固定領域に第ｎページの左側半分の領域の実行画像が表示されているとき、入力操作が右から左へのフリック操作である場合、切り替え後の表示画像の非固定領域は第ｎページの右側半分の領域の実行画像を含む。但し、第ｎページの右側半分の領域が所定のアプリケーションの実行画像を含む領域（固定領域）である場合、切り替え後の表示画像は第ｎ＋１ページの左側半分の領域の実行画像を含む。ｎ＋１が最も値の大きいページの値を超える場合には、実行画像を切り替えない。即ち、このとき、切り替え前の実行画像のデータが抽出される。
【００５５】
Ｓ１０４では、情報処理装置１０の制御部１１は、Ｓ１０３で抽出した非固定領域に含まれる実行画像、及び、固定領域に含まれる実行画像を含む表示画像を、出力部１４のディスプレイに表示させる。その結果、表示画像のうちの非固定領域の実行画像のみが更新される。Ｓ１０３で抽出された非固定領域が第３ページ（画像１０３）の左側半分の領域である場合には、情報処理装置１０の制御部１１は、出力部１４のディスプレイの左側半分の領域に第２ページの左側半分の領域、ディスプレイの右側半分の領域に第３ページ（画像１０３）の左側半分の領域を表示させる。
また、情報処理装置１０の制御部１１は、切り替え後の表示画像を表示させる前に、切り替え前の表示画像から切り替え後の表示画像への切り替え途中を示す画像（遷移画像）を生成して、ディスプレイにスクロールして表示してもよい。遷移画像は、例えば、第２ページ（画像１０２）の一部と、第３ページ（画像１０３）の一部を含む画像である。ただし、このとき、遷移画像においても、所定のアプリケーションの実行画像１２２−１を含む領域は固定領域とされ、ディスプレイでの表示が維持される。このとき、情報処理装置１０の利用者は、ディスプレイに表示される遷移画像を閲覧して、非固定領域の実行画像が第２ページの右側半分のアプリケーションの実行画像から第３ページの左側半分のアプリケーションの実行画像ヘ切り替えられていることを容易に認識することができる。これによって、図７の実行画像の切替の動作フローは終了するが、動作フローの終了後は、再び、当該動作フローが開始される。
【００５６】
図８は、Ｓ１０４における遷移画像の例を示す図である。図８の遷移画像は、ディスプレイに第２ページ（画像１０２）が表示されている場合において、右から左へのフリック操作がされた場合の画像である。図８の遷移画像において、左側半分の領域は固定領域で
あり、切り替え前の表示画像であった第２ページ（画像１０２）の左側半分の実行画像１２２−１の位置は固定される。また、右側半分の領域は非固定領域であり、実行画像を切り替えるための所定の入力操作によって、切り替え前の表示画像であった第２ページ（画像１０２）の右側半分の実行画像１２２−２、３は、第３ページ（画像１０３）の左側半分の実行画像１２３−１、３に、切り替えられる。図８の遷移画像の非固定領域には、実行画像１２２−２、３の一部と、実行画像１２３−１、３の一部とを含む。このような遷移画像が、切り替えの際にスクロールして表示されることで、利用者は、非固定領域の実行画像のみが切り替えられていることを容易に認識することができる。また、情報処理装置１０は、実行画像の切替時に、所定の処理を行っている所定のアプリケーションの実行画像１２２−１を固定的に表示できるため、他のアプリケーションの実行画像よりも優先的に表示できる。
【００５７】
図９は、Ｓ１０４における切り替え後の表示画像の例を示す図である。図９の表示画像は、図８の遷移画像を経てたものであり、左側半分の固定領域には所定のアプリケーションの実行画像１２２−１を含み、右側半分の非固定領域には切り替え後の実行画像１２３−１、３を含んでいる。
【００５８】
一方、所定のアプリケーションが所定の処理を行っていない場合は、Ｓ１０５において、情報処理装置１０の制御部１１は、切り替え後にディスプレイに表示すべき表示画像のデータを、記憶部１２から抽出する。ここでは、ディスプレイに表示される表示画像の全体の領域が非固定領域となる。したがって、表示画像の全体の実行画像が、ページ単位で切り替えられる。
例えば、切り替え前の表示画像が第２ページ（図６の画像１０２）であって、入力操作が左から右へのフリック操作である場合、切り替え後の表示画像は第１ページ（画像１０１）となる。また、切り替え前の表示画像が第２ページ（画像１０２）であって、入力操作が右から左へのフリック操作である場合、切り替え後の表示画像は第３ページ（画像１０３）となる。
即ち、表示画像として第ｎページが表示されているとき、入力操作が左から右へのフリック操作である場合、切り替え後の表示画像は第ｎ−１ページとなる。ｎ−１が０となる場合には、切り替え後の表示画像は第１ページとする（即ち、切り替えない）。表示画像として第ｎページが表示されているとき、入力操作が右から左へのフリック操作である場合、切り替え後の表示画像は第ｎ＋１ページとなる。ｎ＋１が最も値の大きいページの値を超える場合には、切り替え後の表示画像は第Ｎページとする（即ち、切り替えない）。
【００５９】
Ｓ１０６では、情報処理装置１０の制御部１１は、Ｓ１０５で抽出した切り替え後表示画像を、出力部１４のディスプレイに表示させる。その結果、表示画像の全体の領域の実行画像が更新される。Ｓ１０５で抽出された表示画像が第３ページ（画像１０３）である場合には、情報処理装置１０の制御部１１は、ディスプレイに第３ページ（画像１０３）を表示させる。
また、情報処理装置１０の制御部１１は、切り替え後の表示画像を表示させる前に、切り替え前の表示画像から切り替え後の表示画像への切り替え途中を示す画像（遷移画像）を生成して、ディスプレイにスクロールして表示してもよい。遷移画像は、例えば、第２ページ（画像１０２）の一部と、第３ページ（画像１０３）の一部を含む画像である。このとき、情報処理装置１０の利用者は、ディスプレイに表示される遷移画像を閲覧して、表示画像の全体が第２ページから第３ページヘ切り替えられていることを容易に認識することができる。これによって、図７の実行画像の切替の動作フローは終了するが、動作フローの終了後は、再び、当該動作フローが開始される。
【００６０】
図１０は、Ｓ１０６における遷移画像の例を示す図である。図１０の遷移画像は、ディスプレイに第２ページ（画像１０２）が表示されている場合において、右から左へのフリ
ック操作がされた場合の画像である。図１０の遷移画像において、全体の領域が非固定領域である。ページを切り替えるための所定の入力操作によって、切り替え前の表示画像であった第２ページ（画像１０２）は、第３ページ（画像１０３）に切り替えられる。図１０の遷移画像には、実行画像１２２−１の一部、実行画像１２２−２、３、実行画像１２３−１、３の一部とを含む。このような遷移画像が、切り替えの際にスクロールして表示されることで、利用者は、表示画像の全体の領域の実行画像が切り替えられていることを容易に認識することができる。
【００６１】
情報処理装置１０で実行されるアプリケーションとして、例えば、現在位置周辺等の地図の表示や目的地までの道案内をするナビゲーションアプリ、指定された動画を再生する動画再生アプリ、現在位置や所定の地域等の天気予報を表示する天気予報アプリ、車両１の燃費表示する燃費表示アプリ、カレンダーや予定を表示するカレンダーアプリ、現在日時を表示する時計アプリ、ラジオ放送を出力するラジオアプリ、空調装置３０によって車内１の空調を調節する空調アプリ、ＳＮＳの投稿内容を表示するＳＮＳアプリ、ミニブログの投稿内容を表示するミニブログアプリ、電子メールを表示する電子メールアプリ等が挙げられる。情報処理装置１０は、各アプリで必要とされるデータ等を、例えば、ネットワーク２上の他の情報処理装置等から取得する。利用者は、アプリケーションの実行画像により、例えば、天気予報を把握したり、車内１の空調の調節をしたり、車内１のオーディオ機器の音量を調節したりすることができる。
【００６２】
所定の処理を行っている所定のアプリケーションの実行画像１２２−１の大きさが、実行画像１２２−２等を２つ縦に並べた大きさであり、当該実行画像が表示画像の左側に配置された場合、表示画像の右側のアプリケーションの実行画像が実行画像を切り替える入力操作によって、切り替えられる。
【００６３】
また、情報処理装置１０は、所定のアプリケーションで所定の処理が行われているときに（例えば、ナビゲーションアプリで目的地への案内が行われているときに）、当該アプリケーションの実行画像をディスプレイに表示させながら、他のアプリケーションの実行画像を探すことができる。
【００６４】
（動作例２）
本実施形態の情報処理装置１０の動作例２について、説明する。動作例１と同様に、情報処理装置１０では、複数のアプリケーションが実行され、情報処理装置１０の出力部１４のディスプレイには、アプリケーションの実行画像を含む表示画像が表示されている。ここでは、所定のアプリケーションが所定の処理を行っている場合に、当該アプリケーションの実行画像を容易に呼び出して表示させる動作例について説明する。
【００６５】
動作例２においても、複数のアプリケーションが実行され、それらの実行画像が１つのページに配置できない場合、複数のアプリケーションの実行画像は複数のページに分散して配置される。そして、それら複数のページは所定の配列順序で仮想的に配列される。動作例２においては、情報処理装置１０の制御部１１は、実行画像が配置されたページを表示画像として生成して、出力部１４のディスプレイに表示させる。すなわち、動作例２において表示画像に含まれる実行画像は、ページ単位で切り替えられる。このため以下では、表示画像に含まれる実行画像の切り替えを、「ページの切り替え」とも呼ぶ。
動作例２においては、ページを切り替えるための所定の入力操作として、２種類の操作が可能である。ページを連続的に切り替える入力操作がなされた場合は、入力操作の強度に応じて、複数のページがその配列順序に従って連続的にスクロールして切り替えられる。一方で、ページを非連続的に切り替える入力操作がなされた場合は、１回の入力操作で１ページが切り替わるように、複数のページが１ページずつ非連続的に切り替えられる。
【００６６】
図１１は、アプリケーションの実行画像が配置されたページとなる複数の画像の例２−１を示す図である。図１１の例では、仮想的に配列された３つのページとなる画像１５１〜１５３が示されている。また、情報処理装置１０において１２個のアプリケーションが実行されており、３つのページの画像１５１−１５３に１２個のアプリケーションの実行画像が分散して配置されている。
【００６７】
図１１の画像１５１は、背景画像１３１、４個のアプリケーションの実行画像１４１−１〜４を含み、図５で示した画像１０１と同様である。画像１５２は、背景画像１３２、４個のアプリケーションの実行画像１４２−１〜４を含む。画像１５３は、背景画像１３３、４個のアプリケーションの実行画像１４３−１〜４を含む。情報処理装置１０の制御部１１は、通常、複数のページ（画像１５１〜１５３）のうち１つを表示画像として出力部１４のディスプレイに表示させる。出力部１４のディスプレイに表示画像として表示されるページは、例えば、情報処理装置１０の利用者によって、入力部１３により選択される。以下、画像１５１を第１ページ、画像１５２を第２ページ、画像１５３を第３ページともいう。背景画像１３１、１３２、１３３は、互いに、異なっていてもよい。情報処理装置１０の制御部１１は、各アプリケーションの動作にともなって、アプリケーションの実行画像を随時更新する。各ページにおいて、アプリケーションの実行画像が表示される位置は、情報処理装置１０の利用者によって自由に変更できることが望ましい。図１１の例では、画像１５１〜１５３の３ページのみを示しているが、３ページに限定されるものではない。
【００６８】
情報処理装置１０の起動時には、前回の終了時に実行されていたアプリケーションの動作状態が維持されるとする。即ち、１つのアプリケーションの実行画像の配置される位置は、利用者が変更しない限り、常に、同一ページの同一位置に配置される。
【００６９】
図１２は、動作例２の情報処理装置におけるページ切替の動作フローを示す図である。ここでは、情報処理装置１０において、複数のアプリケーションが実行され、Ｎページ分のページに複数のアプリケーションの実行画像が配置されているとする。これらＮページ分のページは、所定の配列順序で配列されている。また、この処理の開始時点においては、出力部１４のディスプレイには、第Ｎページのうちのいずれか１つのページが表示されているとする。情報処理装置１０の利用者は、所望のアプリケーションの実行画像を表示させるために、ページの切り替えを行う。また、第Ｎページのうちのいずれかのページは、所定のアプリケーションの実行画像を含む特定ページとする。所定のアプリケーションは、当該所定のアプリケーションが所定の処理を行っている場合に、利用者が優先的に実行画像を表示させたいアプリケーションである。所定のアプリケーションは、例えば、ディスプレイに表示する優先度の高いアプリケーションである。具体的には、例えば、所定のアプリケーションが「ナビゲーションアプリ」であり、所定の処理が「目的地への道案内」である。また、例えば、所定のアプリケーションが「動画再生アプリ」であり、所定の処理が「動画再生」である。所定のアプリケーション及び所定の処理は、あらかじめ、決められている。
【００７０】
Ｓ２０１では、情報処理装置１０の制御部１１は、入力部１３により、ページを素早く連続的に切り替えるための所定の入力操作を検出したか否かを判定する。ページを連続的に切り替えるための所定の入力操作は、例えば、入力部１３のタッチパネルに対する横方向への所定の速さ以上のフリック操作である。フリック操作は、タッチパネル上で、指等を右から左、若しくは、左から右に動かす操作である。所定の入力操作を検出した場合（Ｓ２０１；ＹＥＳ）、処理がＳ２０３に進む。所定の入力操作を検出していない場合（Ｓ２０１；ＮＯ）、処理がＳ２０７に進む。
【００７１】
ページを連続的に切り替えるための所定の入力操作には、入力部１３のマイクに対する
所定の音声の入力、入力部１３のカメラに対する所定のジェスチャーの入力、入力部１３の所定の押しボタンに対する押し下げ、入力部１３のタッチパネルに対する所定の操作等が含まれてもよい。
【００７２】
Ｓ２０２では、情報処理装置１０は、切り替え先のページが存在するか否かを判定する。例えば、切り替え前のページが第１ページであって、入力操作が左から右へのフリック操作である場合、切り替え先のページは存在しない。第１ページが左端のページであるからである。同様に、切り替え前のページが第Ｎページであって、入力操作が右から左へのフリック操作である場合、切り替え先のページの画像は存在しない。第Ｎページが右端のページであるからである。一方、例えば、切り替え前のページが第３ページであって、入力操作が左から右へのフリック操作である場合、切り替え先のページは第２ページとなる。即ち、第１ページから左側、第Ｎページから右側以外は、切り替え先のページが存在する。切り替え先のページが存在しない場合（Ｓ２０２；ＮＯ）、処理がＳ２０１に戻る。切り替え先のページが存在する場合（Ｓ２０２；ＹＥＳ）、処理がＳ２０３に進む。
【００７３】
Ｓ２０３では、情報処理装置１０の制御部１１は、切り替え先のページの実行画像のデータを、記憶部１２から抽出する。例えば、切り替え前のページが第２ページ（図１１の画像１５２）であって、入力操作が左から右へのフリック操作である場合、切り替え先のページは第１ページ（図１１の画像１５１）となる。
【００７４】
Ｓ２０４では、情報処理装置１０の制御部１１は、Ｓ２０３で抽出した切り替え先のページの実行画像を、出力部１４のディスプレイに表示させる。Ｓ２０３で第１ページ（画像１５１）が抽出された場合には、情報処理装置１０の制御部１１は、出力部１４のディスプレイに、第１ページ（画像１５１）を表示させる。また、情報処理装置１０の制御部１１は、第１ページ（画像１５１）を表示させる前に、切り替え前の第２ページ（画像１５２）から切り替え後の第１ページ（画像１５１）への切り替え途中を示す画像（遷移画像）を生成して、ディスプレイにスクロールして表示する。遷移画像は、例えば、第２ページ（画像１５２）の一部と、第１ページ（画像１５１）の一部を含む画像である。このとき、情報処理装置１０の利用者は、ディスプレイに表示される遷移画像を閲覧して、第２ページから第１ページヘ切り替えられていることを容易に認識することができる。
【００７５】
図１３は、遷移画像の例を示す図である。図１３の遷移画像は、画像１５２から画像１５１への切り替え途中を示す画像である。図１１の画像は、画像１５２の左側の一部と画像１５１の右側の一部とを含む。このような遷移画像が、切り替えの際にスクロールして表示されることで、利用者は、切り替えられていることを容易に認識することができる。
【００７６】
Ｓ２０５では、情報処理装置１０の制御部１１は、Ｓ２０４でディスプレイに表示させた切り替え後のページに、所定のアプリケーションの実行画像が含まれているか否かを判定する。含まれている場合（Ｓ２０５；ＹＥＳ）、処理がＳ２０６に進む。含まれていない場合（Ｓ２０５；ＮＯ）、処理がＳ２０２に戻る。これにより、切り替え後のページに所定のアプリケーションの実行画像が含まれていない場合、ページの切り替え動作が継続する。すなわち、次に隣接するページにさらに切り替えられる。その結果、複数のページがその配列順序に従って連続的に切り替えられることになる。
【００７７】
Ｓ２０６では、情報処理装置１０の制御部１１は、動作中の所定のアプリケーションが所定の処理を行っているか否かを判定する。動作中の所定のアプリケーションが所定の処理を行っている場合（Ｓ２０６；ＹＥＳ）、処理がＳ２０１に戻る。これにより、所定のアプリケーションが所定の処理を行っており、かつ、該所定のアプリケーションの実行画像を含む特定ページがディスプレイに表示された場合、この特定ページで複数のページを連続的に変更する動作が停止する。よって、情報処理装置１０の利用者は、所定の処理を
行っている所定のアプリケーションの実行画像をじっくり確認することができる。例えば、現在表示されているページが第２ページ、所定のアプリケーションの実行画像を含む特定ページが第５ページであり、かつ、所定のアプリケーションが所定の処理を行っている場合を想定する。この場合において、ページを右から左へ連続的に切り替える入力操作がされた場合は、第３ページ及び第４ページが順に連続的に表示され、さらに、特定ページである第５ページが表示されて、ページの切り替え動作は停止する。
一方、所定の動作中の所定のアプリケーションが所定の処理を行っていない場合（Ｓ２０６；ＮＯ）、処理がＳ２０２に戻る。これにより、ページの切り替え動作が継続し、次に隣接するページにさらに切り替えられる。その結果、複数のページがその配列順序に従って連続的に切り替えられることになる。すなわち、所定のアプリケーションが所定の処理を行っていない場合、ページの切り替え動作が所定のアプリケーションの実行画像を含む特定ページとは無関係に継続する。
【００７８】
Ｓ２０７では、情報処理装置１０の制御部１１は、入力部１３により、ページをゆっくり非連続に切り替えるための所定の入力操作を検出したか否かを判定する。ページを非連続に切り替えるための所定の入力操作は、例えば、入力部１３のタッチパネルに対する横方向への所定の速さ未満のフリック操作である。所定の入力操作を検出した場合（Ｓ２０７；ＹＥＳ）、処理がＳ２０８に進む。所定の入力操作を検出していない場合、処理がＳ２０１に戻る。
【００７９】
ページを非連続に切り替えるための所定の入力操作には、入力部１３のマイクに対する所定の音声の入力、入力部１３のカメラに対する所定のジェスチャーの入力、入力部１３の所定の押しボタンに対する押し下げ、入力部１３のタッチパネルに対する所定の操作等が含まれてもよい。ただし、これらの入力操作は、Ｓ２０１のページを連続的に切り替えるための所定の入力操作とは、異なる入力操作である。
【００８０】
Ｓ２０８では、情報処理装置１０は、切り替え先のページが存在するか否かを判定する。Ｓ２０８の動作は、Ｓ２０２と同様である。切り替え先のページが存在しない場合（Ｓ２０８；ＮＯ）、処理がＳ２０１に戻る。切り替え先のページが存在する場合（Ｓ２０８；ＹＥＳ）、処理がＳ２０９に進む。
【００８１】
Ｓ２０９では、情報処理装置１０の制御部１１は、切り替え先のページの実行画像のデータを、記憶部１２から抽出する。Ｓ２０９の動作は、Ｓ２０３と同様である。
【００８２】
Ｓ２１０では、情報処理装置１０の制御部１１は、Ｓ２０９で抽出した切り替え先のページの実行画像を、出力部１４のディスプレイに表示させる。Ｓ２１０の動作は、Ｓ２０４と同様である。これによって、図１２のページ切替の動作フローは終了するが、動作フローの終了後は、再び、当該動作フローが開始される。
【００８３】
これにより、ページを連続的に切り替える入力操作をした場合、所定の処理を行っている所定のアプリケーションの実行画像を容易に表示させることができる。所定の処理を行っている所定のアプリケーションは、例えば、利用者が現時点において、優先的に実行画像を表示させたいアプリケーションである。また、ページを連続的に切り替える入力操作をした方向のページに所定の処理を行っている所定のアプリケーションが存在しない場合は、最終的に端のページが表示される。ここで、さらに反対方向にページを連続的に切り替える入力操作をすることで、所定の処理を行っている所定のアプリケーションの実行画像を表示させることができる。
【００８４】
（その他）
上記では、情報処理装置１０は、車両に搭載される装置であるとしたが、情報処理装置
１０は、車両１に搭載されない装置（例えば、スマートフォン、タブレット端末など）であってもよい。このとき、情報処理装置１０は、車両１のオーディオ装置２０、空調装置３０、ナビゲーション装置４０等に接続されなくてもよい。
【００８５】
上記の例は、上記の構成に限定されるものではなく、本発明の趣旨を逸脱しない範囲内において、変更したり組み合わせたりすることができる。
【００８６】
（実施形態の作用、効果）
情報処理装置１０において、複数のアプリケーションが実行されているとき、情報処理装置１０の制御部１１は、情報処理装置１０で実行されているアプリケーションについての実行画像を含む表示画像を生成して、ディスプレイに表示させる。情報処理装置１０において実行される所定のアプリケーションが所定の処理を行っている場合、情報処理装置１０は、当該所定のアプリケーションの実行画像を利用者が視認し易いように、表示する。具体的には、情報処理装置１０は、所定の処理を行っている所定のアプリケーションの実行画像を固定的に表示したり、所定の処理を行っている所定のアプリケーションが表示されていない場合に、所定の入力操作で容易に当該所定のアプリケーションの実行画像を表示したりするようにする。情報処理装置１０は、表示する優先度の高いアプリケーションの実行画像を、優先的に表示させることができる。情報処理装置１０は、所定のアプリケーションの実行状況に応じて、実行画像を優先的に表示させることができる。
【００８７】
所定の処理を行っている所定のアプリケーションの実行画像を、固定的に表示したり、容易に表示したりすることで、所定のアプリケーションの実行画像が含まれるページを容易に視認することができる。利用者が所望のアプリケーションを容易に視認できることで、車両１に搭載される情報処理装置１０を操作する時間、手順が短縮される。これにより、利用者が車両１の運転中に情報処理装置１０の操作を行う際の安全性を高めることができる。
【００８８】
〈コンピュータ読み取り可能な記録媒体〉
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００８９】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００９０】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８mmテープ、メモリカード等がある。
【００９１】
また、コンピュータ等に固定された記録媒体としてハードディスクやＲＯＭ（Read Only memory）等がある。
【符号の説明】
【００９２】
１          車両
２          ネットワーク
１０          情報処理装置
１１            制御部
１２            記憶部
１３            入力部
１４            出力部
１５            通信部
２０          オーディオ装置
３０          空調装置
４０          ナビゲーション装置
【図１】
2017117390.tif 000003
【図２】
2017117390.tif 000004
【図３】
2017117390.tif 000005
【図４】
2017117390.tif 000006
【図５】
2017117390.tif 000007
【図６】
2017117390.tif 000008
【図７】
2017117390.tif 000009
【図８】
2017117390.tif 000010
【図９】
2017117390.tif 000011
【図１０】
2017117390.tif 000012
【図１１】
2017117390.tif 000013
【図１２】
2017117390.tif 000014
【図１３】
2017117390.tif 000015